(57)【要約】【課題】映像信号無入力時にはバックライトの点灯を制御して消費電力を落としつつ、点灯を制御している旨をユーザに知らしめ、ユーザの利便性を損なうことなく省エネを実現することが可能な液晶表示装置及び液晶テレビジョンを提供する。【解決手段】映像信号の入力が無いことを検知すると、マイコン２６が、制御回路３２ｃに入力する輝度制御信号のデューティ比を低下させ且つ、管電流帰還回路３２ｆからフィードバックされる帰還管電流Ｉｓｅｎを高電流側にシフトすることにより、制御回路３２ｃの発振のデューティ比を実際の管電流Ｉに対応する所定値よりも低い発振数で安定させる。【選択図】図５
2008275978.tif 000002
【特許請求の範囲】
【請求項１】
輝度制御信号を入力され且つ、二次側からフィードバックされた帰還管電流が前記輝度制御信号に対応した所定値となるように発振のデューティ比を変動させる制御回路を備えた他励式インバータ回路と、
前記他励式インバータ回路で発生された交流電圧で点灯される複数の放電灯と、
映像信号から生成された駆動信号で各液晶セルが駆動され且つ、背面から前記放電灯の光を照射されることにより画面に映像が表示される液晶パネルと、
映像信号入力の有無を判断して、該映像信号入力が無いと判断すると、前記液晶パネルに映像信号入力が無い旨を表示させる信号入力判断手段と、
を備える液晶表示装置において、
前記信号入力判断手段が映像信号入力が無いと判断すると、前記デューティ比が低下するように前記輝度制御信号を変化させるとともに、フィードバックされる前記帰還管電流を高電流側にシフトすることにより、前記発振のデューティ比を実際の管電流に対応する所定値よりも低い発振数で安定させる管電流制御手段と、
を備えることを特徴とする液晶表示装置。
【請求項２】
前記帰還管電流をグランドに向けて分岐させる抵抗を備え、
前記管電流制御手段が、該抵抗の抵抗値を変化させることにより前記帰還管電流を高電流側にシフトさせる請求項１に記載の液晶表示装置。
【請求項３】
前記抵抗は、互いに並列接続された複数の抵抗で構成されており、
前記複数の抵抗の少なくとも１つに、前記帰還管電流を分岐して流すか否かを選択可能なスイッチ回路が設けられ、
前記管電流制御手段が、該スイッチ回路のスイッチングを行って前記帰還管電流を高電流側にシフトさせる請求項１または請求項２の何れか一項に記載の液晶表示装置。
【請求項４】
前記抵抗は、直列に接続された複数の抵抗で構成されており、
これら複数の抵抗の少なくとも１つをバイパスさせるスイッチ回路が設けられ、
前記管電流制御手段が、前記スイッチ回路のスイッチングを行って前記帰還管電流を高電流側にシフトさせる請求項１〜請求項３の何れか一項に記載の液晶表示装置。
【請求項５】
輝度制御信号を入力され且つ、フィードバックされた帰還管電流が前記輝度制御信号に対応した所定値となるように発振のデューティ比を変動させる制御回路を備えた他励式のインバータ回路と、
前記他励式インバータ回路で発生された交流電圧で点灯される複数の放電灯と、
受信したテレビ放送信号から映像信号を抽出して出力するチューナと
映像信号を入力可能な外部入力端子と、
前記チューナと前記外部入力端子の何れか一方から入力された映像信号から同期信号を抽出して出力すると共に、液晶パネルの画素数に合わせた映像信号を生成する映像処理部と、
前記映像信号にオンスクリーンディスプレイ信号を重畳するＯＳＤ処理部と、
前記映像処理部から入力された映像信号から液晶パネルのセルを駆動する駆動信号を生成する駆動回路と、
前記駆動信号で各液晶セルが駆動され且つ、背面から前記放電灯の光を照射されることにより画面に映像が表示される液晶パネルと、
前記輝度制御信号を前記制御回路に入力するとともに、映像信号の入力が無いときには前記ＯＳＤ処理部に映像信号の入力が無い旨の表示を行わせるマイコンと、
を備える液晶テレビジョンにおいて、
前記インバータ回路は、
１つの冷陰極管に対し各々の一端を接続されて該冷陰極管に同位相の電圧を印加する第一の二次巻線と第二の二次巻線と、
前記第一の二次巻線の他端に接続されてインバータ回路の二次側に発生した正方向の管電流から帰還管電流を生成し、該帰還管電流を出力する第一の管電流出力回路と、
前記第二の二次巻線の他端に接続されてインバータ回路の二次側に発生した負方向の管電流から帰還管電流を生成し、該帰還管電流を出力する第二の管電流出力回路と、
前記第一の管電流出力回路及び前記管電流出力回路から帰還管電流を入力され、該帰還管電流の値が所定値以上であるか否かを判定して、所定値以上の帰還管電流を入力された場合には高電圧を発振回路に出力し、所定値を下回る帰還管電流を入力された場合には低電圧を発振回路に出力する管電流判定回路と、
を備え、
前記第一及び第二の管電流出力回路は、前記他端から入力される電流を整流するダイオードと、該電流を平滑化するコンデンサと、該平滑化された電流の一部をグランドに向けて分岐させる直列接続された複数の抵抗と、該平滑化された電流の一部を除いた残りを前記管電流判定回路に出力する端子と、該複数の抵抗の少なくとも１つをバイパス可能なバイパストランジスタと、を備え、
前記マイコンは、
映像信号入力源の切換の有無と、映像処理部からの同期信号の出力の有無と、前記映像信号が無い旨のＯＳＤ表示の有無と、の少なくとも１つから外部入力端子からの映像信号の入力の有無を判断し且つ、ユーザからの操作入力の有無からユーザが視聴しているか否かを判断し、
前記外部入力端子からの映像信号の入力が無く、ユーザが視聴しておらず且つ、前記映像信号が無い旨のＯＳＤ表示が行われていると判断すると、前記デューティ比を低下させるように前記輝度制御信号を変化させると共に、前記バイパストランジスタをオンさせて前記抵抗の少なくとも１つをバイパスさせて前記帰還管電流を高電流側にシフトさせ、前記発振のデューティ比を実際の管電流に対応する所定値よりも低い発振数で安定させることを特徴とする液晶テレビジョン。
【発明の詳細な説明】
【技術分野】
【０００１】
本発明は、液晶表示装置及び液晶テレビジョンに関し、特に、バックライトの管電流値によるフィードバック制御が行われている他励式インバータ回路を備えた液晶表示装置及び液晶テレビジョンに関する。
【背景技術】
【０００２】
液晶テレビ等の液晶表示装置では、光源としてバックライトが必要である。このバックライトには冷陰極管のような放電灯が使用されるものが多い。放電灯を使用したバックライトの消費電力は、液晶テレビのセット全体の消費電力の半分以上を占めている。また、基本的に液晶テレビの輝度調整は、バックライトの光量の調整ではなく、液晶セルの開口率で行われる。そのため、映像非表示時もバックライトは映像表示時と同じ光量で点灯しており、バックライトで無駄な電力を消費していた。
【０００３】
このような問題に対して、特許文献１には、外部入力端子からの映像信号が一定時間無ければ、バックライトの一部を消灯して、映像無信号時のバックライトの無駄な電力消費を防止し、省電力を達成することが開示されている。
【０００４】
また、特許文献２には、自励式インバータ回路において、直流電圧供給をスイッチング素子でＯＮ／ＯＦＦ可能にしておき、スイッチング素子のＯＮ／ＯＦＦデューティ比を変更することで蛍光管への印加パルスのデューティを変える、即ち、管電流の実効値を変えて蛍光管輝度をコントロールすることについて開示されている。
【特許文献１】特開２００６−１３９４２号公報
【特許文献２】特開平７−１３１２８号公報
【発明の開示】
【発明が解決しようとする課題】
【０００５】
ところで、液晶表示装置では、映像信号無入力時の画面に、例えば“Ｎｏ  Ｓｉｇｎａｌ”等と表示して、ユーザに映像信号無入力を知らせる機能を持つものが多い。この映像信号無入力を知らせるためには、少なくとも、この表示がされる部位の放電灯は点灯し続ける必要がある。そのため、特許文献１の技術では、映像信号無入力時に消灯する放電灯と、点灯し続ける放電灯と、が出来てしまい、放電灯の寿命にムラが発生することになっていた。また、特許文献２の技術は、自励式インバータ回路における技術であり、他励式インバータ回路に適用することは難しい。
【０００６】
本発明は、上記課題に鑑みてなされたもので、映像信号無入力時にはバックライトの点灯を制御して消費電力を落としつつ点灯を制御している旨をユーザに知らしめ、ユーザの利便性を損なうことなく省エネを実現することが可能な、他励式インバータ回路を備えた液晶表示装置及び液晶テレビジョンの提供を目的とする。
【課題を解決するための手段】
【０００７】
上記課題を解決するために、本発明の液晶表示装置では、輝度制御信号を入力され且つ、二次側からフィードバックされた帰還管電流が前記輝度制御信号に対応した所定値となるように発振のデューティ比を変動させる制御回路を備えた他励式インバータ回路と、前記他励式インバータ回路で発生された交流電圧で点灯される複数の放電灯と、映像信号から生成された駆動信号で各液晶セルが駆動され且つ、背面から前記放電灯の光を照射されることにより画面に映像が表示される液晶パネルと、映像信号入力の有無を判断して、該映像信号入力が無いと判断すると、前記液晶パネルに映像信号入力が無い旨を表示させる信号入力判断手段と、を備える液晶表示装置において、前記信号入力判断手段が映像信号入力が無いと判断すると、前記デューティ比が低下するように前記輝度制御信号を変化させるとともに、フィードバックされる前記帰還管電流を高電流側にシフトすることにより、前記発振のデューティ比を実際の管電流に対応する所定値よりも低い発振数で安定させる管電流制御手段と、を備える構成としてある。
【０００８】
前記構成において、管電流制御手段は、前記制御回路に入力される輝度制御信号を変化させて前記デューティ比を低下させ且つ、前記他励式のインバータ回路からフィードバックされる前記帰還管電流を高電流側にシフトすることにより、前記制御回路の発振のデューティ比を実際の管電流に対応する所定値よりも低い発振数で安定させる。この構成により、発振のデューティ比が低下するため、管電流が低下して前記放電灯の輝度が低下し、結果として放電灯で消費される電力が低減されて省電力が実現される。さらに、二次側から前記制御回路にフィードバックされる帰還管電流を、実際に前記放電灯に流れている管電流に対応する値よりも低くシフトさせるため、前記発振のデューティ比が低くなり、輝度制御信号に対応する管電流よりも低電流で管電流が安定することになる。
【０００９】
即ち、バックライトの点灯が不要なときに、放電灯の輝度を低下させて消費される電力を低下させて省電力を実現するとともに、放電灯を完全に消灯させないので、映像信号入力が無い旨をユーザが視認可能な状態ではあり、ユーザの利便性を損なうことも無い。加えて、インバータ回路の発振を完全に停止させないので、省電力状態から短時間で通常の輝度でバックライトを点灯させる状態に復帰可能である。これもユーザの利便性に貢献する。
【００１０】
前記液晶表示装置は、前記管電流をグランドに向けて分岐させる抵抗を備え、前記管電流制御手段が、該抵抗の抵抗値を変化させることにより前記帰還管電流を高電流側にシフトさせる構成としてもよい。即ち、フィードバックされる帰還管電流の制御を簡易な構成で実現できる。
【００１１】
前記液晶表示装置は、前記抵抗が、互いに並列接続された複数の抵抗で構成されており、前記複数の抵抗の少なくとも１つに、前記管電流を分岐して流すか否かを選択可能なスイッチ回路が設けられ、前記管電流制御手段が、該スイッチ回路のスイッチングを行って前記帰還管電流を高電流側にシフトさせる構成としても良い。即ち、フィードバックされる帰還管電流の制御を簡易な構成で実現できる。
【００１２】
前記液晶表示装置は、前記抵抗が、直列に接続された複数の抵抗で構成されており、これら複数の抵抗の少なくとも１つをバイパスさせるスイッチ回路が設けられ、前記管電流制御手段が、前記スイッチ回路のスイッチングを行って前記帰還管電流を高電流側にシフトさせる構成としてもよい。即ち、フィードバックされる帰還管電流の制御を簡易な構成で実現できる。
【００１３】
さらに、前記液晶表示装置をより具体化した一例として、輝度制御信号を入力され且つ、フィードバックされた帰還管電流が前記輝度制御信号に対応した所定値となるように発振のデューティ比を変動させる制御回路を備えた他励式のインバータ回路と、前記他励式インバータ回路で発生された交流電圧で点灯される複数の放電灯と、受信したテレビ放送信号から映像信号を抽出して出力するチューナと映像信号を入力可能な外部入力端子と、前記チューナと前記外部入力端子の何れか一方から入力された映像信号から同期信号を抽出して出力すると共に、液晶パネルの画素数に合わせた映像信号を生成する映像処理部と、前記映像信号にオンスクリーンディスプレイ信号を重畳するＯＳＤ処理部と、前記映像処理部から入力された映像信号から液晶パネルのセルを駆動する駆動信号を生成する駆動回路と、前記駆動信号で各液晶セルが駆動され且つ、背面から前記放電灯の光を照射されることにより画面に映像が表示される液晶パネルと、前記輝度制御信号を前記制御回路に入力するとともに、映像信号の入力が無いときには前記ＯＳＤ処理部に映像信号の入力が無い旨の表示を行わせるマイコンと、を備える液晶テレビジョンにおいて、前記インバータ回路は、１つの冷陰極管に対し各々の一端を接続されて該冷陰極管に同位相の電圧を印加する第一の二次巻線と第二の二次巻線と、前記第一の二次巻線の他端に接続されてインバータ回路の二次側に発生した正方向の管電流から帰還管電流を生成し、該帰還管電流を出力する第一の管電流出力回路と、前記第二の二次巻線の他端に接続されてインバータ回路の二次側に発生した負方向の管電流から帰還管電流を生成し、該帰還管電流を出力する第二の管電流出力回路と、前記第一の管電流出力回路及び前記管電流出力回路から帰還管電流を入力され、該帰還管電流の値が所定値以上であるか否かを判定して、所定値以上の帰還管電流を入力された場合には高電圧を発振回路に出力し、所定値を下回る帰還管電流を入力された場合には低電圧を発振回路に出力する管電流判定回路と、を備え、前記第一及び第二の管電流出力回路は、前記他端から入力される電流を整流するダイオードと、該電流を平滑化するコンデンサと、該平滑化された電流の一部をグランドに向けて分岐させる直列接続された複数の抵抗と、該平滑化された電流の一部を除いた残りを前記管電流判定回路に出力する端子と、該複数の抵抗の少なくとも１つをバイパス可能なバイパストランジスタと、を備え、前記マイコンは、映像信号入力源の切換の有無と、映像処理部からの同期信号の出力の有無と、前記映像信号が無い旨のＯＳＤ表示の有無と、の少なくとも１つから外部入力端子からの映像信号の入力の有無を判断し且つ、ユーザからの操作入力の有無からユーザが視聴しているか否かを判断し、前記外部入力端子からの映像信号の入力が無く、ユーザが視聴しておらず且つ、前記映像信号が無い旨のＯＳＤ表示が行われていると判断すると、前記デューティ比を低下させるように前記輝度制御信号を変化させると共に、前記バイパストランジスタをオンさせて前記抵抗の少なくとも１つをバイパスさせて前記帰還管電流を高電流側にシフトさせ、前記発振のデューティ比を実際の管電流に対応する所定値よりも低い発振数で安定させる構成としても良い。
【発明の効果】
【００１４】
以上説明したように本発明によれば、ユーザの利便性を損なうことなく、放電灯で消費される電力が低減されて省電力が実現可能な液晶表示装置を提供することができる。
そして請求項２にかかる発明によれば、フィードバックされる帰還管電流の制御を簡易な構成で実現できる。
また請求項３にかかる発明によれば、フィードバックされる帰還管電流の制御を簡易な構成で実現できる。
そして請求項４にかかる発明によれば、フィードバックされる帰還管電流の制御を簡易な構成で実現できる。
さらに請求項５のような、より具体的な構成において、上述した請求項２，４の各発明と同様の作用を奏することはいうまでもない。
【発明を実施するための最良の形態】
【００１５】
以下、下記の順序に従って本発明の実施形態を説明する。
（１）液晶テレビジョンの構成：
（２）インバータ回路の構成：
（３）管電流帰還回路：
（４）管電流制御処理：
（５）管電流帰還回路の変形例：
（６）まとめ：
【００１６】
（１）液晶テレビジョンの構成： 
図１は、液晶テレビジョンのブロック構成図である。同図において、液晶表示装置としての液晶テレビジョン１００は、例えばチューナや外部入力端子から入力された映像信号を駆動信号に変換して、駆動信号で液晶パネルの液晶セルを駆動し、バックライトで液晶パネルを背面から照らして画面に映像を表示するためのものである。なお、同図では、発明に関係しない部位については記載を省略してある。
【００１７】
図１に示すように、液晶テレビジョン１００は、概略、チューナ１０と、切換回路１２と、映像処理部１４と、音声処理部２２と、マイコン２６と、液晶パネル２０と、スピーカ２４と、ＯＳＤ処理部１６と、リモコン６０の発信するリモコン信号を受信するリモコン受信部２８と、液晶パネル２０の背面から光を照射するバックライト３４と、バックライト３４を構成する冷陰極管に駆動電圧を供給するインバータ回路３２と、を含んで構成される。
【００１８】
本液晶テレビジョン１００の回路には汎用的なシリアル通信バスであるＩＩＣバス３５が設けられ、ＩＩＣバス３５に接続された各部１０，１１，１２，１４，１６，１８，２２，２６が所定の通信プロトコルに従って互いにデータの送受信を行うようにされている。
【００１９】
上記構成において、チューナ１０は、マイコン２６の制御により、アンテナ１０ａを介してテレビ放送帯域に対応した所望周波数のテレビ放送信号を受信し、このテレビ放送信号から所要の信号だけを選択して高周波増幅し、中間周波信号に変換して出力する。また、液晶テレビジョン１００は、外部入力端子１１を備えており、接続された外部入力機器から映像信号や音声信号を入力可能になっている。本実施形態においては、チューナ１０や外部入力端子１１が映像信号入力源に該当し、これらから入力される映像信号には同期信号が含まれている。
【００２０】
チューナ１０から出力された中間周波信号と、外部入力端子から入力された映像信号や音声信号と、は切換回路１２に入力されている。この切換回路１２は、マイコン２６の制御により、チューナ１０と外部入力端子１１の何れか一方から入力された信号を出力する。
【００２１】
映像処理部１４は、チューナ１０から出力された中間周波信号が供給されると、入力された信号レベルに応じてデジタル化するとともに、中間周波信号に各種の信号処理を施すことにより、ＲＧＢ（赤、緑、青）で表現される映像信号（ＲＧＢ信号）、同期信号および音声信号を復元する。同様に、外部入力端子１１から出力された映像信号や音声信号からも、ＲＧＢ信号、同期信号、音声信号が復元される。
【００２２】
映像処理部１４は、復元されたＲＧＢ信号に対して液晶パネル２０の画素数（横縦比、ｍ：ｎ）に合わせたスケーリング処理を行い、液晶パネル２０に表示する１画面分の画像データを生成する。このように生成された画像データをＯＳＤ処理部１６に出力する。また、復元された同期信号は、所定の信号処理が施された後、マイコン２６に出力される。さらに、復元された音声信号は、音声処理部２２を経て、スピーカ２４に出力される。
【００２３】
ＯＳＤ処理部１６には、映像処理部１４から入力される画像データにオンスクリーンディスプレイ信号（ＯＳＤ信号）を重畳することにより、映像に所定の静止画像を重ねて表示したり、所定の静止画像を差し替えて表示する等の処理を行うことができる。より具体的には、ＯＳＤ処理部１６に文字情報等のデ−タをマイコン２６から入力されると、この文字情報等のデ−タに基づいて静止画像を生成して画像データに重畳し、ＯＳＤ信号の重畳された画像データを液晶パネル２０に出力する。無論、マイコン２６から文字情報等のデ−タ入力が無いときは映像処理部１４から入力された画像データをそのまま駆動回路１８に出力する。
【００２４】
各画素を駆動する駆動回路１８は、ＯＳＤ処理部１６から出力された画像データに基づいて液晶パネル２０の各表示セルの開口率を制御する駆動信号を生成する。この駆動信号により各表示セルを駆動されて、液晶パネル２０は、背面のバックライト３４から照射される光を前面に透過し、画面に映像を表示する。
【００２５】
インバータ回路３２は、電源回路３０から直流電圧を供給され、この電源回路から供給された直流電圧を高圧の交流電圧に変換し、駆動信号としての当該交流電圧をバックライト３４に供給する。なお、電源回路は、外部の商用電源等から電源電圧（交流）の供給を受けて必要に応じて電圧を交流から直流へと変換し、この供給された電源電圧をマイコン２６やインバータ回路３２等の各回路へ供給する。
【００２６】
バックライト３４は、放電灯としての複数の蛍光管を有し、液晶パネル２０を背面から照射する光源の役割を果たす。つまり、バックライト３４は、インバータ回路３２から供給される高電圧で点灯され、液晶パネル２０の背後から光を照射する。本実施形態では、バックライトとして冷陰極管を用いてある。
【００２７】
マイコン２６は、液晶テレビジョン１００を構成する各部と電気的に接続しており、マイコン２６内部の構成部品としてのＣＰＵが、同じくマイコン２６内の構成部品であるＲＯＭやＲＡＭなどに書き込まれた各プログラムに従って、液晶テレビジョン１００全体を制御する。またマイコン２６はタイマ回路を内蔵しており、タイマ回路の発生するクロック信号を取得している。ＣＰＵやＲＯＭやＲＡＭについては図示を省略している。
【００２８】
リモコン６０は、操作を受け付ける複数のキーと、リモコン信号をリモコン受信部２８に向けて送信するリモコン信号送信回路とを有し、複数のキーの操作に応じたリモコン信号を所定のフォーマットで送出する。例えば、リモコン６０を用いて所望のチャンネルを受信させるべく操作すると、リモコン信号送信部から対応するリモコン信号が送出される。すると、マイコン２６は、リモコン受信部２８から電圧信号を入力され、ＣＰＵの制御により対応するキー操作を検知してリモコン６０からの操作入力を受け付け、対応するチャンネルを受信させるように周波数データをチューナ１０に送出する。
【００２９】
また、マイコン２６は、映像処理部１４から同期信号（水平同期信号や垂直同期信号）が供給される。即ち、映像処理部１４は、外部入力端子１１やチューナ１０から映像信号が入力されると同期信号を抽出してマイコン２６に供給し、映像信号の入力が無いときは同期信号をマイコンに出力しない。マイコン２６は、後述のインバータ回路３２の管電流制御処理で、同期信号の供給の有無を判断する。また、マイコン２６は、同期信号が入力されなくなって所定時間が経過すると、ＯＳＤ処理部１６に映像信号無入力である旨のＯＳＤ表示を行わせる。
【００３０】
（２）インバータ回路の構成： 
図２は、インバータ回路３２のブロック構成図である。本発明のインバータ回路３２は、他励式インバータ回路であり、制御回路に制御されたスイッチ回路で互いに反転した電圧を交互に昇圧トランスに印加し、昇圧トランスの二次側に交流電圧を発生させる。図２において、インバータ回路３２は、平滑回路３２ａと、スイッチ回路３２ｂと、発振回路３２ｃと、ドライブ回路３２ｄと、昇圧トランス３２ｅと、帰還回路３２ｆと、から構成されており、電源回路３０から入力された直流電圧Ｖｉｎで駆動され、冷陰極管を点灯するための交流電流を生成する。
【００３１】
インバータ回路３２は、直流電圧Ｖｉｎが平滑回路３２ａを介してスイッチ回路３２ｂに入力され、スイッチ素子の切り替えにより所望周波数の交流に変換する。そして、昇圧トランス３２ｅを介して二次電圧を生成して、この二次電圧が冷陰極管３４ａ（放電管）に供給される。冷陰極管３４ａはバックライト３４の一部を構成しており、図２には冷陰極管３４ａのみを例示してあるが、通常は複数の冷陰極管を備えており、冷陰極管数に応じて昇圧トランスも増加する。無論、スイッチ回路や帰還回路も、冷陰極管の増減に伴って、増減する。スイッチ回路３２ｂの切り替えは、発振回路３２ｃとドライブ回路３２ｄとで構成される制御回路によって制御される。
【００３２】
スイッチ回路３２ｂは、例えば、４つのＭＯＳ−ＦＥＴＱ１１，Ｑ１２，Ｑ２１，Ｑ２２をフルブリッジ結合した他励式のコンバータで構成される。このフルブリッジ結合は、ＭＯＳ−ＦＥＴＱ１１，Ｑ１２の組によるハーフブリッジ結合と、ＭＯＳ−ＦＥＴＱ２１，Ｑ２２によるハーフブリッジ結合との組み合わせで形成される。本実施形態では、フルブリッジ回路にはＭＯＳ−ＦＥＴが用いられているが、無論、その他のトランジスタ素子を用いても良い。
【００３３】
ＭＯＳ−ＦＥＴＱ１１，Ｑ１２の組によるハーフブリッジ結合は、ＭＯＳ−ＦＥＴＱ１１のドレインを平滑回路３２ａから出力された平滑電圧Ｅｉｎのラインと接続し、ＭＯＳ−ＦＥＴＱ１１のソースとＭＯＳ−ＦＥＴＱ１２のドレインを接続し、ＭＯＳ−ＦＥＴＱ１２のソースを接地することで形成される。同様に、ＭＯＳ−ＦＥＴＱ２１，Ｑ２２の組によるハーフブリッジ結合は、ＭＯＳ−ＦＥＴＱ２１のドレインを平滑電圧Ｅｉｎのラインと接続し、ＭＯＳ−ＦＥＴＱ２１のソースとＭＯＳ−ＦＥＴＱ２２のドレインを接続し、ＭＯＳ−ＦＥＴＱ２２のソースを接地することで形成される。そして、ＭＯＳ−ＦＥＴＱ１１、Ｑ１２のソース−ドレインの接続点（スイッチング出力点）は昇圧トランス３２ｅの一次巻線の一端に対して接続され、昇圧トランス３２ｅの一次巻線の他端は、ＭＯＳ−ＦＥＴＱ２１，Ｑ２２のソース−ドレインの接続点（スイッチング出力点）に対して接続される。
【００３４】
発振回路３２ｃには、発振のオンオフを指令する指令信号と、発振のデューティ比を指示する輝度制御信号と、がマイコン２６から入力されている。そして、発振オンを指令する指令信号と輝度制御信号が入力されると、輝度制御信号に対応するデューティ比の周波数信号を所要の周波数で発振させてドライブ回路３２ｄに出力する。
【００３５】
ドライブ回路３２ｄは、ＭＯＳ−ＦＥＴＱ１１，Ｑ１２，Ｑ２１，Ｑ２２のゲートにスイッチング駆動信号を出力する。このスイッチング駆動信号により、ドライブ回路３２ｄは、ＭＯＳ−ＦＥＴＱ１１，Ｑ２２が同じタイミングでオン／オフすると共に、ＭＯＳ−ＦＥＴＱ１２，Ｑ２１が同じタイミングでオン／オフするように制御する。つまり、ＭＯＳ−ＦＥＴＱ１１，Ｑ１２が交互にオン／オフ動作を行い、ＭＯＳ−ＦＥＴＱ２１，Ｑ２２が交互にオン／オフ動作を行うことになる。これら発振回路３２ｃとドライブ回路３２ｄが制御回路を構成する。
【００３６】
スイッチ回路３２ｂのオン／オフ動作に従って、昇圧トランス３２ｅの一次巻線に所要の周波数で反転する電圧が印加され、昇圧トランス３２ｅの二次巻線に交流の二次電圧が発生する。この二次電圧で冷陰極管３４ａが点灯される。
【００３７】
昇圧トランス３２ｅの二次側には、二次電圧や二次電流を監視し、監視結果を制御回路にフィードバックする帰還回路３２ｆが設けられる。例えば、帰還回路３２ｆは、二次電圧Ｅ２（例えば管電圧等）や二次電流Ｉ２（例えば管電流等）の変動に対応したレベルの帰還電圧や帰還管電流を発振回路３２ｃに出力する。管電圧を帰還する帰還回路の一例としては、昇圧トランス３２ｅの二次巻線から出力される二次電圧を分割コンデンサで分割して所定割合に落とす回路が用いられ、この分圧電圧を帰還電圧として出力する。また、管電流を帰還する帰還回路の一例としては、昇圧トランス３２ｅの二次電流をダイオードで整流するとともにコンデンサで脈流を除去した電流が使用するものがある。
【００３８】
発振回路３２ｃでは帰還電圧や帰還管電流に基づいて、周波数信号のデューティ比を変化させて、二次電圧及び二次電流を可変する。例えば、二次電圧Ｅ２や二次電流Ｉ２が高くなると、発振回路３２ｃは発振周波数のデューティ比を低下させて二次巻線に発生する二次電圧や二次電流が低くなるように制御する。逆に二次電圧Ｅ２や二次電流Ｉ２が低くなると、発振回路３２ｃは発振周波数のデューティ比を上昇させて二次巻線に発生する二次電圧や二次電流が高くなるように制御する。即ち、発振回路３２ｃでは、帰還電圧や帰還電流の上下動を解消するように発振する周波数信号を変化させる定電圧制御が行われる。
【００３９】
（３）管電流帰還回路：
図３は管電流出力回路３２ｆ１，３２ｆ２、図４は管電流判定回路３２ｆ３を示している。管電流出力回路は、インバータ回路３２の二次側に発生した管電流Ｉから帰還管電流Ｉｓｅｎを生成し、この帰還管電流Ｉｓｅｎを管電流判定回路に出力する。管電流判定回路は、帰還管電流の値が所定値以上であるか否かを判定して、所定値以上の帰還管電流Ｉｓｅｎを入力された場合には高電圧（Ｈ）を発振回路に出力し、所定値を下回る帰還管電流Ｉｓｅｎを入力された場合には低電圧（Ｌ）を発振回路に出力する。即ち、管電流出力回路と管電流判定回路とが、管電流を発振回路にフィードバックする管電流帰還回路３２ｆを構成する。
【００４０】
まず、管電流帰還回路３２ｆと昇圧トランス３２ｅの接続について説明する。図３において、昇圧トランスは１つの冷陰極管３４ａに対し、２つの二次巻線３２ｅ１，３２ｅ２を備えている。二次巻線３２ｅ１には、端子ａに冷陰極管３４ａの一端が接続され、端子ｂに管電流出力回路３２ｆ１が接続される。同様に、二次巻線３２ｅ２でも、端子ｄに冷陰極管３４ａの他端が接続され、端子ｃに管電流出力回路３２ｆ２が接続される。即ち、冷陰極管３４ａには、二次巻線３２ｅ１の一端と、二次巻線３２ｅ２の一端が接続されている。このように接続された冷陰極管３４ａには、二次巻線３２ｅ１から印加される電圧と、二次巻線３２ｅ２から印加される電圧とが、同位相で印加される。換言すると、端子ａｄ間に発生する電圧と端子ｄｃ間に発生する電圧とが逆位相となるように選択される。
【００４１】
図３の管電流出力回路３２ｆ１（第一の管電流検出回路）は、整流用のダイオードＤ１，Ｄ２と、脈流除去のコンデンサＣ１と、帰還管電流設定用の抵抗Ｒ１，Ｒ１，Ｒ３と、帰還管電流変更用のＮＰＮ型のトランジスタＱ１（バイパストランジスタ）と、で構成されている。この構成において、ダイオードＤ１のカソードとダイオードＤ２のアノードは、共に二次巻線３２ｅ１の端子ｂに接続されている。そしてダイオードＤ１のアノードが接地される一方、ダイオードＤ２のカソードから延びる出力ラインにはコンデンサＣ１と抵抗Ｒ１、Ｒ２が接続されている。
【００４２】
同様に管電流出力回路３２ｆ２（第二の管電流検出回路）は、整流用のダイオードＤ３，Ｄ４と、脈流除去用のコンデンサＣ２と、帰還管電流設定用の抵抗Ｒ４，Ｒ５，Ｒ６と、帰還管電流変更用のＮＰＮ型のトランジスタＱ２（バイパストランジスタ）と、で構成されている。この構成において、ダイオードＤ３のカソードとダイオードＤ４のアノードは、共に二次巻線３２ｅ２の端子ｃに接続されている。そしてダイオードＤ３のアノードが接地される一方、ダイオードＤ４のカソードから延びる出力ラインにはコンデンサＣ２と抵抗Ｒ４，Ｒ５が接続されている。
【００４３】
このように、管電流出力回路３２ｆ１と管電流出力回路３２ｆ２とは同一の回路構成であり、対応する素子は同一の定数を持つものが使用される。そして、管電流出力回路３２ｆ１が一方方向（例えば、正方向）に流れる管電流Ｉから帰還管電流Ｉｓｅｎを生成して出力し、管電流出力回路３２ｆ２が逆方向（例えば、負方向）に流れる管電流Ｉから帰還管電流Ｉｓｅｎを生成して、出力する。従って、これら管電流出力回路３２ｆ１，３２ｆ２の帰還管電流Ｉｓｅｎをあわせると、全波整流された帰還管電流が出力されることになる。
【００４４】
以上の管電流出力回路３２ｆ１、３２ｆ２の構成により、以下のように電流が流れる。まず、端子ａｂ間及び端子ｃｄ間の電位差が正のときは、グランドからダイオードＤ１に供給された電流が、端子ｂ、端子ａ、冷陰極管３４ａ、端子ｄ、端子ｃ、ダイオードＤ４の順に流れて、帰還管電流Ｉｓｅｎとして出力される。一方、端子ａｂ間及び端子ｃｄ間の電位差が負のときは、グランドからダイオードＤ３に供給された電流が、端子ｃ、端子ｄ、冷陰極管３４ａ、端子ａ、端子ｂ、ダイオードＤ２の順に流れて、帰還管電流Ｉｓｅｎとして出力される。即ち、帰還管電流Ｉｓｅｎは、管電流出力回路３２ｆ１と管電流出力回路３２ｆ２から交互に出力される。また、帰還管電流Ｉｓｅｎは、正の値を持つ電流として出力される。
【００４５】
このように電流が流れる管電流出力回路では、帰還管電流Ｉｓｅｎの値を抵抗Ｒ１〜Ｒ６及びトランジスタＱ１，Ｑ２で変化させることが出来るようになっている。
【００４６】
まず管電流出力回路３２ｆ１では、抵抗Ｒ１が、管電流出力回路３２ｆ１の出力ラインとグランドとの間を接続している。同様に、抵抗Ｒ２とＲ３は直列に接続され、この直列接続された帰還管電流設定抵抗が管電流出力回路３２ｆ１の出力ラインとグランドとの間を接続している。さらに、抵抗Ｒ２，Ｒ３の間にトランジスタＱ１のコレクタを接続し、トランジスタＱ１のエミッタを接地する。トランジスタＱ１のベースはマイコン２６の所定のポートに接続されており、マイコン２６の制御によりオン／オフ可能になっている。
【００４７】
一方、管電流出力回路３２ｆ２では、抵抗Ｒ４が、管電流出力回路３２ｆ２の出力ラインとグランドとの間を接続している。同様に、抵抗Ｒ５とＲ６は直列に接続され、この直列接続された帰還管電流設定抵抗が管電流出力回路３２ｆ２の出力ラインとグランドとの間を接続している。さらに、抵抗Ｒ５，Ｒ６の間にトランジスタＱ２のコレクタを接続し、トランジスタＱ２のエミッタを接地する。トランジスタＱ２のベースはマイコン２６の所定のポートに接続されており、マイコン２６の制御によりオン／オフ可能になっている。
【００４８】
マイコン２６がトランジスタＱ１，Ｑ２をオンすると、トランジスタＱ１が抵抗Ｒ３を、トランジスタＱ２が抵抗Ｒ６を、それぞれバイパスする。すると、抵抗Ｒ３と抵抗Ｒ２とを流れる電流及び、抵抗Ｒ５と抵抗Ｒ６とを流れる電流が増加し、帰還管電流Ｉｓｅｎを高電流側にシフトさせる。逆に、トランジスタＱ１，Ｑ２がオンの状態から、オフの状態に移行させると、帰還管電流Ｉｓｅｎは低電流側にシフトすることになる。
【００４９】
マイコン２６がトランジスタＱ１，Ｑ２のベースを制御するタイミングは、連動しており、同一のポートから出力される制御信号が両トランジスタに入力される構成としても良い。
【００５０】
図４の管電流判定回路３２ｆ３は、逆流防止用のダイオードＤ５と、直列に接続された抵抗Ｒ７，Ｒ８と、この抵抗Ｒ７，Ｒ８の接続点にベースが接続されたＰＮＰ型のトランジスタＱ３と、トランジスタＱ３のエミッタとハイレベルの電圧ラインとを接続する抵抗Ｒ９と、トランジスタＱ３のエミッタと発振回路３２ｃとを接続する抵抗Ｒ１０と、発振回路３２ｃに入力される電圧Ｖｉを平滑化するコンデンサＣ３と、を備えている。
【００５１】
この管電流判定回路３２ｆ３の構成により、入力された帰還管電流ＩｓｅｎはダイオードＤ５と抵抗Ｒ７、Ｒ８を通ってグランドへと流れる。その際、抵抗Ｒ７と抵抗Ｒ８の接続点には、帰還管電流Ｉｓｅｎに対応する電圧Ｖｓｅｎが発生する。この電圧Ｖｓｅｎが所定値を下回ると、トランジスタＱ３がオンして発振回路３２ｃに入力するＶｉを低電圧（Ｌ）に引き込む。一方、電圧Ｖｓｅｎが所定値以上であれば、トランジスタＱ３はオフしており、発振回路３２ｃに入力される電圧Ｖｉはハイレベルの電圧ラインから供給され、高電圧（Ｈ）に維持される。
【００５２】
発振回路３２ｃは、入力される電圧ＶｉがＬになると、発振周波数のデューティ比を輝度制御信号に対応する値に保つ。一方、入力される電圧ＶｉがＨになると、発振回路３２ｃは、発振周波数のデューティ比を輝度制御信号に対応する値よりも低い値に変化させて、電圧ＶｉがＬに変化するまで低下させたデューティ比を保つ。
【００５３】
以上説明した管電流帰還回路の動作は次のようになる。
【００５４】
まず、トランジスタＱ１，Ｑ２をオンして帰還管電流Ｉｓｅｎを高電流側にシフトさせると、抵抗Ｒ７，Ｒ８の接続点の電圧Ｖｓｅｎが高電圧側にシフトする。つまり、トランジスタＱ１，Ｑ２がオンする以前と比べて、発振回路に入力される電圧ＶｉをＨに変化させるために必要な管電流Ｉがより低くなり、発振回路３２ｃの発振する周波数信号のデューティ比を、実際の管電流に対応する所定値よりも低い発振数で安定させる。よって、インバータ回路３２の二次巻線に発生する管電流Ｉが低い値に抑えられることになる。
【００５５】
次に、トランジスタＱ１，Ｑ２をオフして帰還管電流Ｉｓｅｎを低電流側にシフトさせると、抵抗Ｒ７，Ｒ８の接続点の電圧Ｖｓｅｎが定電圧側にシフトする。つまり、トランジスタＱ１，Ｑ２がオンしていたときに比べて、発振回路３２ｃに入力される電圧ＶｉをＨに変化させるために必要な管電流Ｉが高くなり、インバータ回路３２の二次巻線に発生する管電流Ｉが高い値で安定することになる。
【００５６】
（４）管電流制御処理： 
図５は、管電流の制御を行うマイコンの処理を示すフローチャートである。この管電流の制御処理は、帰還管電流の制御及び輝度制御信号の制御により行われる。この処理は、液晶テレビジョン１００の電源がオンされると、繰り返し実行される。
【００５７】
処理が開始されると、ステップＳ１０で、現在の映像信号の入力源を判断する。即ち、チューナ１０から入力される映像信号を処理する状態であるが、外部入力端子１１から入力される映像信号を処理する状態であるかを判断する。この判断は、リモコン６０から、モード切替信号が入力されたか否かで判断しても良い。映像信号の入力源が、外部入力端子である場合は、条件成立としてステップＳ１２に進む。一方、映像信号の入力源が、チューナである場合は、条件不成立としてステップｓ２２に進む。ステップＳ２２では、現在の状態が省電力状態であれば、この省電力状態を解除して通常状態に戻し、管電流制御処理を終了する。
【００５８】
ステップＳ１２では、ＯＳＤ表示が行われているか否かを判断する。例えば、画面に「ビデオ１」や「Ｎｏ  Ｓｉｇｎａｌ」等のＯＳＤ表示を実行しているか否かを判断する。つまり、外部入力端子から映像信号が入力されていれば、これらのＯＳＤ表示は行われないからである。この判断は、マイコン２６がＯＳＤ表示をＯＳＤ処理部１６に指示しているか否かで判断できる。ＯＳＤ表示が行われている場合は、条件成立としてステップＳ１４に進んでＯＳＤ表示の継続もしくは開始して、ステップＳ１６に進む。一方、ＯＳＤ表示が行われていない場合は、条件不成立としてステップＳ２４に進み、省電力状態を解除して通常状態に戻し、管電流制御処理を終了する。
【００５９】
ステップＳ１６では、同期信号の入力があるか否かを判断する。このとき判断する同期信号としては、垂直同期信号よりも水平同期信号が好ましい。垂直同期信号に比べて、水平同期信号の方が映像信号の挿入される間隔が短く、挿入される両も多いためである。同期信号が入力されていれば、条件成立としてステップＳ１８に進み、同期信号が入力されていなければ条件不成立としてステップＳ２６に進む。
【００６０】
ステップＳ２６では、操作入力が行われたか否かを判断する。この操作入力の有無は、例えば、リモコン受信部２５から入力されるリモコン操作を示すリモコン信号や、図示は省略してあるが、液晶テレビジョン１００の本体の操作パネルから入力される操作信号等、の有無で判断できる。操作入力が行われた場合は、条件成立としてステップＳ２８に進み、省電力状態を解除して通常状態に戻し、管電流制御処理を終了する。一方、操作入力が行われなかった場合は、条件不成立としてステップＳ１６からの処理を繰り返す。
【００６１】
ステップＳ１８では、所定時間が経過したか否かを判断する。この所定時間は、該管電流制御処理が開始されてからの時間でも良いし、同期信号の入力が連続して無かった時間でも良い。所定時間が経過した場合は、条件成立としてステップＳ２０に進み、所定時間が経過していない場合は、条件不成立としてステップＳ２６からの処理を繰り返す。
【００６２】
ステップＳ２０では、省電力状態への移行を行う。具体的には、帰還管電流Ｉｓｅｎを高電流側にシフトさせる処理（帰還管電流の制御）と、輝度制御信号を低デューティ比での発振を行わせるように変更する処理（輝度制御信号の制御）と、の少なくとも一方を行う。帰還管電流の制御を行うと、通常状態での消費電力に比べて、数割程度、電力消費を抑えることができる。さらに輝度制御信号の制御も行うと、通常状態での消費電力に比べて、電力消費が半分程度になる。
【００６３】
以上、ステップＳ１０〜Ｓ１８の処理を実行するマイコン２６が信号入力判断手段を構成し、ステップＳ２０の処理を実行するマイコン２６が管電流制御手段を構成する。
【００６４】
（５）管電流帰還回路の変形例： 
前述した管電流帰還回路は、図６のような変形例も可能である。この変形例では、前述した実施形態の、抵抗Ｒ２，Ｒ３及びトランジスタＱ１の代わりに帰還管電流設定用の抵抗３２とトランジスタＱ３１を使用し、抵抗Ｒ５，Ｒ６及びトランジスタＱ２の代わりに帰還管電流設定用の抵抗Ｒ３５とトランジスタＱ３２を使用する。
【００６５】
つまり抵抗Ｒ３２の一端とトランジスタＱ３１のコレクタとを接続し、抵抗Ｒ３２の他端を帰還管電流Ｉｓｅｎの出力ラインに接続するとともに、トランジスタＱ３１のエミッタを接地する。このときトランジスタＱ３１のベースは、前述した実施形態と同様に、マイコン２６によってオン／オフ可能になっている。また、抵抗Ｒ３５の一端とトランジスタＱ３２のコレクタとを接続し、抵抗Ｒ３５の他端を帰還管電流Ｉｓｅｎの出力ラインに接続するとともに、トランジスタＱ３２のエミッタを接地する。このときトランジスタＱ３２のベースは、前述した実施形態と同様に、マイコン２６によってオン／オフ可能になっている。
【００６６】
トランジスタＱ３１，Ｑ３２がオンされると、抵抗Ｒ１と並列に抵抗Ｒ３２が接続され、抵抗Ｒ４と平行に抵抗Ｒ３５が接続される。そして、抵抗Ｒ３２，Ｒ３５に管電流Ｉが分岐して流れることになり、帰還管電流Ｉｓｅｎは相対的に減少することになる。一方、トランジスタＱ３１，Ｑ３２がオフされると抵抗Ｒ３２，Ｒ３５には管電流は流れなくなり、帰還管電流Ｉｓｅｎは相対的に増加することになる。即ち、本変形例では、通常は、トランジスタＱ３１，Ｑ３２をオンしておき、省電力を行う際にトランジスタＱ３１，Ｑ３２をオフすることになる。
【００６７】
以上の構成により、マイコン２６がトランジスタＱ３１，３２をオン／オフ制御することにより、帰還管電流Ｉｓｅｎの値をシフトさせることが可能となる。
【００６８】
（４）まとめ：
つまり、映像信号の入力が無いことを検知すると、マイコン２６が、制御回路３２ｃに入力する輝度制御信号のデューティ比を低下させ且つ、管電流帰還回路３２ｆからフィードバックされる帰還管電流Ｉｓｅｎを高電流側にシフトすることにより、制御回路３２ｃの発振のデューティ比を実際の管電流Ｉに対応する所定値よりも低い発振数で安定させる。これにより、映像信号無入力時にはバックライトの点灯を制御して消費電力を落としつつ、点灯を制御している旨をユーザに知らしめ、ユーザの利便性を損なうことなく省エネを実現することが可能となる。
【００６９】
なお、前記実施形態では液晶テレビジョンを例にとって説明したが、これに限定されるものではなく、放電灯により構成されたバックライトと、該放電灯を点灯する他励式インバータ回路と、背面からバックライトの光を照射される液晶パネルとを備える液晶表示装置であれば、本発明の要旨を逸脱しない範囲で種々の変形実施の形態が可能である。
【００７０】
前記実施形態では、スイッチ回路としてフルブリッジ回路を採用した例で説明を行ったが、例えば、ハーフブリッジ回路（スイッチスナバ型回路）やプッシュプル回路等、その他の他励式のスイッチ回路も採用可能である。
【００７１】
本発明では、１つの抵抗をトランジスタでバイパスさせる構成を採用して説明しているが、無論、トランジスタを多段的に複数使用すると、より細かい帰還管電流の調整が可能であり、細かい輝度調整が可能となる。
【００７２】
前記管電流制御処理では、外部入力端子からの映像信号の有無と、ＯＳＤ表示の有無と、同期信号の有無と、の全てから映像信号入力の有無を判断したが、これらのいずれか１つからでも映像信号入力の有無を判断することは可能であり、その意味で少なくとも１つの判断のみを実行する構成としても構わない。
【００７３】
前記管電流判定回路３２ｆは、トランジスタとハイレベルの電圧ラインとを組み合わせて構成してあるが、無論、帰還管電流Ｉｓｅｎに対応する電圧を所定の電圧と比較する比較回路であればいかなるものであってもよく、例えばコンパレータを利用した回路等も考えられる。
【００７４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７５】
【図１】液晶テレビジョンのブロック構成図である。
【図２】インバータ回路のブロック構成図である。
【図３】管電流出力回路の回路図である。
【図４】管電流判定回路の回路図である。
【図５】管電流制御処理のフローチャートである。
【図６】管電流出力回路の変形例にかかる回路図である。
【符号の説明】
【００７６】
１０…チューナ、１０ａ…アンテナ、１１…外部入力端子、１２…切換回路、１４…映像処理部、１６…ＯＳＤ処理部、１８…駆動回路、２０…液晶パネル、２２…音声処理部、２４…スピーカ、２６…マイコン、２８…リモコン受信部、３０…電源回路、３２…インバータ回路、３２ａ…平滑回路、３２ｂ…スイッチ回路、３２ｃ…発振回路、３２ｄ…ドライブ回路、３２ｅ…昇圧トランス、３２ｆ…帰還回路（管電流帰還回路）、３２ｅ１…二次巻線、３２ｅ２…二次巻線、３２ｆ１…管電流出力回路、３２ｆ２…管電流出力回路、３２ｆ３…管電流判定回路、３４…バックライト、３４ａ…冷陰極管、３５…ＩＩＣバス、６０…リモコン、１００…液晶テレビジョン、Ｃ１〜Ｃ３…コンデンサ、Ｄ１〜Ｄ５…ダイオード、Ｑ１〜Ｑ３…トランジスタ、Ｑ３１…トランジスタ、Ｑ３２…トランジスタ、Ｒ１〜Ｒ１０，Ｒ３２，Ｒ３５…抵抗
【図１】
2008275978.tif 000003
【図２】
2008275978.tif 000004
【図３】
2008275978.tif 000005
【図４】
2008275978.tif 000006
【図５】
2008275978.tif 000007
【図６】
2008275978.tif 000008